(57)【特許請求の範囲】
【請求項１】
路面に埋込み固定される道路鋲と、当たり部材とを有し、道路鋲の表面端部に当たり部材を外方に張り出すように取付けると共に、当たり部材の裏面を路面に当接させた状態で道路鋲を設置路面に掘削した埋込孔に埋込み固定し、しかる後当たり部材を道路鋲から取り外す道路鋲の設置方法であって、道路鋲は表面端部に受孔を穿設し、当たり部材は基板の下面端部より足部を垂下すると共に表面に突起部を形成し、前記受孔に足部を挿入して道路鋲に当たり部材を外方に張り出すように取付けると共に、当たり部材の基板裏面を路面に当接させた状態で道路鋲を設置路面に掘削した埋込孔に埋込み固定し、しかる後突起部を操作して当たり部材を道路鋲から取り外すことを特徴とする道路鋲の設置方法。
【発明の詳細な説明】
【０００１】
【発明の属する技術分野】
本発明は、道路のセンターライン、交差点中央、横断歩道等の路面に設置されて車両運転手等に夜間の視線誘導を行い、交通事故の防止を図るための道路鋲の設置方法に関するものである。
【０００２】
【従来の技術】
道路鋲は、路面より一定の高さを突出させた状態で設置するものや、路面とほぼ同一面に設置するものとがある。従来、路面より一定の高さを突出させて設置する場合は、予め道路鋲に外周縁より外方に張り出す鍔部を一体的に形成しておき、道路鋲を設置路面に掘削した埋込孔に埋込み固定する際、この鍔部の裏面を路面に当接させることにより、路面より突出させる高さが一定になるようにしている。又路面とほぼ同一面に設置する場合は、前記の如き鍔部を形成すると、その鍔部の厚み分だけ路面より突出することとなるために、鍔部を形成することができず、そのために道路鋲を埋込孔に埋め込んだ状態において、路面とほぼ同一面になるように、掘削する埋込孔の深さを作業者の勘によって調整している。
【０００３】
【発明が解決しようとする課題】
しかしながら上記の如き道路鋲の設置方法にあっては、次のような問題点があった。すなわち道路鋲に一体的に鍔部を設けて設置する場合は、元々鍔部は設置時のみに必要であって設置した後は不要なものであり、この鍔部によって道路鋲の大きさが必要以上に大きくなり、又車両の踏みつけによる衝撃によって鍔部が破損したり飛散する等の危険性があり、さらにアスフアルトのオーバーレイ時等、道路鋲を取り外すときは、鍔部より大きく路面をカットする必要がある等、一体的に形成した鍔部による弊害があった。
【０００４】
一方、鍔部を設けずに、道路鋲を路面とほぼ同一面になるように設置する場合は、作業者の勘によって埋込孔の深さを調整するために、熟練を要し、道路鋲を埋込孔に深く押し込み過ぎると路面より埋もれてしまい、道路鋲としての機能が発揮できないことがある。
【０００５】
そこで本発明は、従来の上記の如き問題点を解消し、熟練を要することなく、又設置された後に従来の鍔部が有していた弊害がない道路鋲の設置方法を提供せんとするものである。
【０００６】
【課題を解決するための手段】
上記目的を達成するために、本発明は次のような構成としている。
すなわち本発明に係る道路鋲の設置方法は、路面に埋込み固定される道路鋲と、当たり部材とを有し、道路鋲の表面端部に当たり部材を外方に張り出すように取付けると共に、当たり部材の裏面を路面に当接させた状態で道路鋲を設置路面に掘削した埋込孔に埋込み固定し、しかる後当たり部材を道路鋲から取り外す道路鋲の設置方法であって、道路鋲は表面端部に受孔を穿設し、当たり部材は基板の下面端部より足部を垂下すると共に表面に突起部を形成し、前記受孔に足部を挿入して道路鋲に当たり部材を外方に張り出すように取付けると共に、当たり部材の基板裏面を路面に当接させた状態で道路鋲を設置路面に掘削した埋込孔に埋込み固定し、しかる後突起部を操作して当たり部材を道路鋲から取り外すことを特徴とするものである。
【０００７】
本発明によれば、道路鋲の表面端部に外方に張り出すように取付けた当たり部材の裏面を路面に当接させることにより、埋込孔に埋込み固定される道路鋲の突出高さを熟練を要することなく一定にすることができ、しかも埋込み固定された後は、当たり部材は道路鋲から取り外されているので、従来の一体的に設けられた鍔部の如く、それによってもたらされる前記の如き弊害はなく、精度よく路面より一定の高さを突出させ、又は路面とほぼ同一面になるようにも設置することができる。
【０００８】
又本発明においては、道路鋲の表面端部に受孔を穿設し、当たり部材は基板の下面端部より足部を垂下すると共に表面に突起部を形成し、前記受孔に足部を挿入して道路鋲に当たり部材を外方に張り出すように取付けると共に、当たり部材の基板裏面を路面に当接させた状態で道路鋲を設置路面に掘削した埋込孔に埋込み固定し、しかる後突起部を操作して当たり部材を道路鋲から取り外すので、当たり部材の取付け及び取り外しが容易となる。突起部を操作して当たり部材を道路鋲から取り外すには、突起部をハンマー等で殴打することにより、その衝撃で足部を切断し、足部を受孔に残した状態で当たり部材を取り外してもよいし、突起部をペンチで挟んで足部を受孔から引き抜くことにより、当たり部材を取り外してもよい。
【０００９】
【発明の実施の形態】
以下に本発明の実施の一形態を図面に基づき具体的に説明する。
まず図１は本発明に係る道路鋲の実施の一形態を示す平面図、図２は本発明に係る当たり部材の実施の一形態を示す斜視図、図３は本発明の設置方法における設置作業中の状態を示す断面図、図４は本発明の設置方法における設置完了後の状態を示す断面図である。
【００１０】
図面において、１は路面に埋込み固定しようとする道路鋲、２は当たり部材、３は設置路面に掘削した埋込孔、４は路面である。
【００１１】
道路鋲１は、車両の踏みつけに充分耐えうるように、強度及び耐蝕性を有し、且つ成型性に優れたアルミニウム合金や鋳鉄等の金属や合成樹脂等で作製されるケースに、再帰反射性を有する反射体が取付けられたり、太陽光によって電力を発生する太陽電池、その発生した電力を蓄電する蓄電装置、蓄電装置からの電力によって発光する発光ダイオードの如き発光体等が取付けられたものであって、以上までの構成は従来の道路鋲と何ら変わるところがないが、本形態においては図１の如く、さらに道路鋲１の表面端部に受孔１１が複数穿設されている。
【００１２】
当たり部材２は、成型性に優れたアルミニウム合金や鋳鉄等の金属や合成樹脂等で作製されるものであって、図２の如く、略長方形状の基板２１の下面端部よりピン状の足部２２が垂下され、その足部２２に相対する基板２１の表面には縦壁状の突起部２３が形成されているものであり、本発明はこの当たり部材２を用いて前記道路鋲１を路面４に設置せんとするものである。
【００１３】
かかる当たり部材２によって、上記道路鋲１を路面４に設置する方法を次に説明する。まず設置路面４に埋込孔３を掘削する。一方、道路鋲１には表面端部に穿設した受孔１１に、当たり部材２の足部２２を挿入することにより、道路鋲１に当たり部材２を、外方に張り出すように取付ける。そして図３の如く、当たり部材２の基板２１裏面を路面４に当接するまで、この道路鋲１を埋込孔３に埋込み、基板２１裏面を路面４に当接させた状態で向きを調整しつつ道路鋲１を埋込孔３に接着剤等により固定する。
【００１４】
しかる後、当たり部材２を道路鋲１から取り外せば設置は完了する。当たり部材２を道路鋲１から取り外すには、図４の如く突起部２３をハンマー等で殴打することにより、その衝撃で足部２２を切断し、足部２２を受孔１１に残した状態で当たり部材２を取り外してもよいし、突起部２３をペンチで挟んで足部２２を受孔１１から引き抜くことにより、当たり部材２を取り外してもよい。
【００１５】
なお受孔１１に挿入する足部２２の形状は特に限定されるものではなく、矩形状等であってもよいが、一般には本形態の如くピン状とされる。尚ピン状とする場合は、足部２２を受孔１１に挿入し易くするために、又突起部２３をハンマー等で殴打することにより、容易に足部２２が切断するように、先細とした足部２２外周をローレット加工しておくのが好ましい。なお突起部２３は、当たり部材２を取り外すためのものであるので、特にその形状は図２の形状に限定されるものではない。
【００１６】
【発明の効果】
本発明によれば、道路鋲の表面端部に外方に張り出すように取付けた当たり部材の裏面を路面に当接させることにより、埋込孔に埋込み固定される道路鋲の突出高さを熟練を要することなく一定にすることができ、しかも埋込み固定された後は、当たり部材は道路鋲から取り外されているので、従来の一体的に設けられた鍔部の如く、それによってもたらされる前記の如き弊害はなく、精度よく路面より一定の高さを突出させ、又は路面とほぼ同一面になるようにも設置することができる。
【図面の簡単な説明】
【図１】本発明に係る道路鋲の実施の一形態を示す平面図である。
【図２】本発明に係る当たり部材の実施の一形態を示す斜視図である。
【図３】本発明の設置方法における設置作業中の状態の実施の一形態を示す断面図である。
【図４】本発明の設置方法における設置作業完了後の状態の実施の一形態を示す断面図である。
【符号の説明】
１    道路鋲
１１  受孔
２    当たり部材
２１  基板
２２  足部
２３  突起部
３    埋込孔
４    路面
【図１】
0003634617.tif 000002
【図２】
0003634617.tif 000003
【図３】
0003634617.tif 000004
【図４】
0003634617.tif 000005